(57)【要約】【課題】グループ宛先を指定して画像データを送信する際の、ユーザの利便性を向上する。【解決手段】ファクシミリ装置には、短縮宛先情報と、複数の短縮宛先情報が含まれるグループ宛先情報とが予め格納されている。ユーザから画像データの送信先として指定された宛先情報の中にグループ宛先情報が含まれる場合、ファクシミリ装置１０は、展開ボタン４２５をディスプレイ１００に表示する。展開ボタン４２５が押下されると、ディスプレイ１００に表示されているグループ宛先情報の表示を、かかるグループ宛先情報に含まれる短縮宛先情報に切り換え、表示されているグループ宛先情報に含まれる短縮宛先情報を編集し、編集された後のグループ宛先情報に含まれる送信先に対して画像データを送信する。【選択図】図１１
2007096659.tif 000002
【特許請求の範囲】
【請求項１】
複数の個別宛先情報を含むグループ宛先情報が画像データの送信先として指定されることにより、前記グループ宛先情報に含まれる前記複数の個別宛先情報の少なくとも１つの個別宛先情報に対して画像データを送信する画像送信装置であって、
表示部と、
前記送信の対象となる送信対象画像データを取得する取得手段と、
前記送信対象画像データの送信先に関する送信先宛先情報を指定する指定手段と、
前記指定された送信先宛先情報を前記表示部に表示する表示手段と、
前記表示部に表示されている送信先宛先情報の表示を、前記グループ宛先情報から前記グループ宛先情報に含まれる前記複数の個別宛先情報に切り換える表示切換手段と、
前記切り換えられ前記表示部に表示されている、前記グループ宛先情報に含まれる複数の個別宛先情報を編集するための編集手段と、
前記編集された後のグループ宛先情報により特定される送信先に対して前記送信対象画像データを送信する送信手段と、を備える画像送信装置。
【請求項２】
請求項１記載の画像送信装置であって、更に、
前記送信手段によって、所定の期間内に、前記送信の対象とされた送信先に関する送信済宛先情報が含まれる送信履歴情報を保持する保持手段を備え、
前記指定手段は、前記保持されている送信履歴情報に含まれる送信済宛先情報を前記送信先宛先情報として指定し、
前記表示手段は、前記送信先宛先情報を前記表示部に表示し、
前記表示切換手段は、前記送信先宛先情報に前記グループ宛先情報が含まれる場合に、前記表示部に表示されている前記グループ宛先情報の表示を、前記グループ宛先情報に含まれる前記複数の個別宛先情報に切り換え、
前記編集手段は、前記切り換えられ前記表示部に表示されている、前記グループ宛先情報に含まれる複数の個別宛先情報を編集し、
前記送信手段は、前記編集された後のグループ宛先情報により特定される送信先に対して前記送信対象画像データを送信する、画像送信装置。
【請求項３】
請求項１または請求項２記載の画像送信装置であって、
前記送信先宛先情報には、前記グループ宛先情報に含まれる複数の個別宛先情報と、前記グループ宛先情報に含まれる個別宛先情報以外の個別宛先情報とが含まれ、
前記編集手段は、前記送信先宛先情報に含まれる個別宛先情報を編集する、画像送信装置。
【請求項４】
請求項３記載の画像送信装置であって、更に、
前記送信先宛先情報に含まれる個別宛先情報の表示順を並び替える並び替え手段を備え、
前記表示手段は、前記並び替えられた送信先宛先情報を前記表示部に表示する、画像送信装置。
【請求項５】
請求項１ないし請求項４いずれか記載の画像送信装置であって、
前記編集には、前記表示部に表示されている前記複数の個別宛先情報からの１以上の個別宛先情報の削除が含まれる、画像送信装置。
【請求項６】
複数の個別宛先情報が含まれるグループ宛先情報を画像データの送信先に指定することにより、前記グループ宛先情報に含まれる前記複数の個別宛先情報に前記画像データを送信する画像送信装置が実行する画像送信方法であって、
前記送信の対象となる送信対象画像データを取得し、
前記送信対象画像データの送信先となる送信先宛先情報を指定する指定手段と、
前記指定された送信先宛先情報を前記表示部に表示し、
前記表示部に表示されている送信先宛先情報の表示を、前記グループ宛先情報から前記グループ宛先情報に含まれる前記複数の個別宛先情報に切り換え、
前記切り換えられ前記表示部に表示されている、前記グループ宛先情報に含まれる複数の個別宛先情報を編集し、
前記編集された後のグループ宛先情報に含まれる個別宛先情報により特定される送信先に対して前記送信対象画像データを送信する、画像送信方法。
【発明の詳細な説明】
【技術分野】
【０００１】
本発明は、指定された送信先に画像データを送信する画像送信装置に関する。
【背景技術】
【０００２】
指定された宛先に画像データを送信する画像送信装置、例えば、ファクシミリ装置が利用されている。画像送信装置は、ユーザから、複数の個別宛先を含むグループ宛先の指定を受け付けると、指定されたグループ宛先に含まれる複数の個別宛先の全てに対して画像データを送信する。
【０００３】
【特許文献１】特開２０００−１３４３０５
【発明の開示】
【発明が解決しようとする課題】
【０００４】
しかしながら、従来の画像送信装置は、送信先に指定されたグループ宛先から、任意の個別宛先を除外することはできなかった。従って、ユーザは、グループ宛先に含まれる複数の個別宛先のうち、任意の個別宛先を除く全個別宛先に対して画像データの送信を所望する場合、送信先となる全個別宛先を１件ずつ指定するか、送信先として指定する前にグループ宛先情報の登録内容を編集して送信先としない個別宛先を削除する必要があり、煩雑であった。
【０００５】
本発明は、上述された課題に鑑みてなされたものであり、グループ宛先を指定して画像データを送信する際の、ユーザの利便性の向上を目的とする。
【課題を解決するための手段】
【０００６】
上述した課題の少なくとも一部を解決するために、本発明の画像通信装置は、複数の個別宛先情報を含むグループ宛先情報が画像データの送信先として指定されることにより、前記グループ宛先情報に含まれる前記複数の個別宛先情報の少なくとも１つの個別宛先情報に対して画像データを送信する画像送信装置において、表示部と、前記送信の対象となる送信対象画像データを取得する取得手段と、前記送信対象画像データの送信先に関する送信先宛先情報を指定する指定手段と、前記指定された送信先宛先情報を前記表示部に表示する表示手段と、前記表示部に表示されている送信先宛先情報の表示を、前記グループ宛先情報から前記グループ宛先情報に含まれる前記複数の個別宛先情報に切り換える表示切換手段と、前記切り換えられ前記表示部に表示されている、前記グループ宛先情報に含まれる複数の個別宛先情報を編集するための編集手段と、前記編集された後のグループ宛先情報により特定される送信先に対して前記送信対象画像データを送信する送信手段と、を備えることを要旨とする。
【０００７】
本発明の画像送信装置によれば、ユーザは、画像送信装置を利用することにより、グループ宛先情報に含まれる個別宛先情報を視認しながら必要に応じてグループ宛先を編集し、グループ宛先情報に含まれる所望の宛先へ簡易に送信対象画像データを送信することができるため、ユーザの利便性を向上できる。
【０００８】
本発明の画像送信装置において、更に、前記送信手段によって、所定の期間内に前記送信の対象とされた送信先に関する送信済宛先情報を保持する保持手段を備え、前記指定手段は、前記保持されている送信済宛先情報を前記送信先宛先情報として指定し、前記表示手段は、前記送信先宛先情報を前記表示部に表示し、前記表示切換手段は、前記送信先宛先情報に前記グループ宛先情報が含まれる場合に、前記表示部に表示されている前記グループ宛先情報の表示を、前記グループ宛先情報に含まれる前記複数の個別宛先情報に切り換え、前記編集手段は、前記切り換えられ前記表示部に表示されている、前記グループ宛先情報に含まれる複数の個別宛先情報を編集し、前記送信手段は、前記編集された後のグループ宛先情報により特定される宛先に対して前記送信対象画像データを送信してもよい。
【０００９】
本発明の画像送信装置によれば、所定の期間内に送信先とされた送信済宛先情報を利用して、容易に送信先宛先情報を編集できる。従って、送信先宛先情報の指定を簡易に行うことができ、ユーザの負担を軽減することができる。
【００１０】
本発明の画像送信装置において、前記送信先宛先情報には、前記グループ宛先情報に含まれる複数の個別宛先情報と、前記グループ宛先情報に含まれる個別宛先情報以外の個別宛先情報とが含まれ、前記編集手段は、前記送信先宛先情報に含まれる個別宛先情報を編集してもよい。
【００１１】
本発明の画像送信装置によれば、グループ宛先情報に含まれない個別宛先情報についても編集することができる。従って、簡易な構成で柔軟に送信先宛先を編集でき、ユーザの利便性を向上できる。
【００１２】
本発明の画像送信装置において、更に、前記送信先宛先情報に含まれる個別宛先情報の表示順を並び替える並び替え手段を備え、前記表示手段は、前記並び替えられた送信先宛先情報を前記表示部に表示してもよい。
【００１３】
本発明の画像送信装置によれば、送信先宛先情報に含まれる個別宛先情報の表示順を並び代えることができる。従って、ユーザは、並び代えられた送信先宛先情報を利用して簡易に編集を行うことができ、好適である。
【００１４】
本発明の画像送信装置において、前記編集には、前記表示部に表示されている前記複数の個別宛先情報からの１以上の個別宛先情報の削除が含まれてもよい。
【００１５】
本発明の画像送信装置によれば、グループ宛先情報に含まれる複数の個別宛先情報から送信先としない個別宛先情報を削除することができるため、所望する送信先の多くがグループ宛先情報に含まれる場合、送信先とする宛先情報を１件ずつ個別に指定することなく簡易に送信先となる宛先情報を指定でき、ユーザの利便性を向上できる。
【００１６】
本発明において、上述した種々の態様は、適宜、組み合わせたり、一部を省略したりして適用することができる。また、本発明は、上述した画像送信装置としての構成の他に、画像送信装置による画像送信方法、画像送信装置に画像データを送信させるためのコンピュータプログラム、かかるコンピュータプログラムをコンピュータ読み取り可能に記録した記録媒体等としても構成できる。いずれの構成においても、上述した各態様を適宜適用可能である。コンピュータが読み取り可能な記録媒体としては、例えば、フレキシブルディスクや、ＣＤ−ＲＯＭ、ＤＶＤ−ＲＯＭ、光磁気ディスク、ＩＣカード、ハードディスク等種々の媒体を利用することが可能である。
【発明を実施するための最良の形態】
【００１７】
以下、本発明の実施の形態について、実施例に基づき説明する。
Ａ．第１実施例：
本実施例では、指定された宛先情報により特定される送信先へ画像データを送信する画像送信装置１０について説明する。本実施例における画像送信装置１０には、短縮宛先情報と、複数の短縮宛先情報が含まれるグループ宛先情報とが予め格納されている。ユーザから画像データの送信先として指定された宛先情報の中にグループ宛先情報が含まれる場合、画像送信装置１０は、送信先として指定されているグループ宛先情報を編集し、編集された後のグループ宛先情報に含まれる送信先に対して画像データを送信する。画像送信装置１０の構成、画像送信装置１０が実行する一連の処理について図面を参照しながら説明する。本実施例では、以降、単に「宛先情報」と表すときは短縮宛先情報およびグループ宛先情報の双方を含む。なお、短縮宛先情報は個別宛先情報とも言う。
【００１８】
Ａ１．機能ブロック：
図１は、本実施例における画像送信装置１０の機能ブロックを例示する説明図である。画像送信装置１０は指定された宛先情報に画像データを送信するファクシミリ装置である。以降、本実施例では、画像送信装置１０をファクシミリ装置１０と呼ぶ。ファクシミリ装置１０は、ＣＰＵ１１、ＲＡＭ１２、通信部１３、操作パネル１４、メモリ１５、短縮宛先格納部２２、グループ宛先格納部２３、送信履歴格納部２４を備える。メモリ１５は、表示制御モジュール１６、画像取得モジュール１７、送信先指定モジュール１８、展開モジュール１９、編集モジュール２０、送信モジュール２１を備える。メモリ１５に備えられている各モジュールはソフトウェア的に構成され、ＣＰＵ１１により制御されている。
【００１９】
短縮宛先格納部２２には、短縮宛先情報テーブル２００が格納されている。短縮宛先情報テーブル２００について図２を用いて説明する。図２は、本実施例における短縮宛先情報テーブル２００の内容を例示する説明図である。短縮宛先情報テーブル２００には、複数の短縮宛先情報が含まれる。各短縮宛先情報は、短縮番号と短縮宛先名とＦＡＸ番号を有する。短縮番号は、短縮宛先情報テーブル２００内において一意となる番号である。例えば、短縮番号「０１２」を有する短縮宛先情報の短縮宛先名は「東京  次郎」であり、ファックス番号は「１１２３３４６６６６」である。
【００２０】
グループ宛先格納部２３には、グループ宛先情報テーブル３００が格納されている。グループ宛先情報テーブル３００の内容について、図３を用いて説明する。図３は、本実施例におけるグループ宛先情報テーブル３００の内容を例示する説明図である。グループ宛先情報テーブル３００には、複数のグループ宛先情報が含まれる。各グループ宛先情報は、グループ番号、グループ名、および、複数の短縮番号を有する。グループ番号は、グループ宛先情報テーブル３００において一意となる番号である。短縮番号は、各グループ宛先情報に含まれる短縮宛先情報の短縮番号を示す。例えば、グループ番号「＊１１」を有するグループ宛先情報のグループ名は「開発グループ」であり、かかるグループ宛先情報には、短縮番号「１１１」、「１１２」および「１１３」を有する短縮宛先情報が含まれる。
【００２１】
送信履歴格納部２４には、直前に送信先に指定された宛先情報を含む送信履歴が格納されている。
【００２２】
通信部１３は、図示しないネットワークコントロールユニットを備えており、公衆回線網を介して他の機器と通信を行う。通信部１３は、送信対象画像データを電気信号に変換して他の機器に対して送信する送信機能と、他の機器から送信された電気信号を受信し、画像データに変換する受信機能とを備える。
【００２３】
操作パネル１４は、ディスプレイと、ユーザからの操作を受け付ける受付部を備える。ユーザからの操作とは、例えば、送信先の指定、送信対象画像データの送信開始指示が含まれる。
【００２４】
操作パネル１４の詳細について、図４を参照して説明する。図４は、本実施例における操作パネル１４を例示する説明図である。操作パネル１４は、ディスプレイ１００と受付部１０１とを備える。受付部１０１には、キーボタン１０２と、クリアボタン１０３と、スタートボタン１０４が備えられている。ディスプレイ１００はタッチパネルが用いられている。
【００２５】
ディスプレイ１００には、画像データの送信先として指定された送信先宛先情報、メニューボタン等が表示される。キーボタン１０２は、送信先のファックス番号を直接入力するための入力用のボタンである。ユーザは、キーボタン１０２を押下して所望のファックス番号を入力する。
【００２６】
クリアボタン１０３は、それまでの入力を取り消すためのボタンである。スタートボタン１０４は、指定された送信先に送信対象画像データの送信を実行するためのボタンである。
【００２７】
画像取得モジュール１７は、送信対象となる送信対象画像データを取得する。本実施例では、画像取得モジュール１７は、自動原稿読み取り装置、いわゆるスキャナを備えており、ファクシミリ装置１０にセットされた原稿を読み取って送信対象画像データを生成する。ファクシミリ装置１０がローカルエリアネットワーク（ＬＡＮ）に接続されている場合には、画像取得モジュール１７は、ＬＡＮに接続されているホストコンピュータからＬＡＮを介して送信対象画像データを取得してもよい。
【００２８】
送信先指定モジュール１８は、操作パネル１４を介してユーザにより選択された宛先情報を送信対象画像データの送信先に指定する。宛先情報に未編集のグループ宛先情報が含まれる場合には、かかるグループ宛先情報に含まれる全短縮宛先情報のＦＡＸ番号に対して送信対象画像データを送信する。
【００２９】
表示制御モジュール１６は、送信先指定モジュール１８によって送信先として指定された宛先情報を操作パネル１４のディスプレイ１００に表示する。短縮宛先情報が送信先に指定されている場合、表示制御モジュール１６は、短縮番号と短縮宛先名をディスプレイ１００に表示する。グループ宛先情報が送信先に指定されている場合、表示制御モジュール１６はグループ番号とグループ名をディスプレイ１００に表示する。また、表示制御モジュール１６は、グループ宛先情報が送信先に指定された場合、展開ボタンをディスプレイ１００に表示する。
【００３０】
展開モジュール１９は、ディスプレイ１００に表示されているグループ宛先情報の表示を、かかるグループ宛先情報に含まれる短縮宛先情報に切り換える。
【００３１】
編集モジュール２０は、ディスプレイ１００に表示された複数の短縮宛先情報から１件以上の短縮宛先情報を削除する。編集モジュール２０が編集対象とする短縮宛先情報には、グループ宛先情報に含まれる複数の短縮宛先情報と、短縮宛先格納部２２から呼び出され送信先に指定された短縮宛先情報とが含まれる。
【００３２】
送信モジュール２１は、編集モジュール２０により編集された後のグループ宛先情報および個別に指定された短縮宛先情報が含まれる送信先に対して通信部１３を介して送信対象画像データを送信する。
【００３３】
Ａ２．画像データ送信処理：
図５〜図１３を参照しつつ、画像送信装置１０が実行する画像データの送信処理について説明する。図５は画像データ送信処理の全体的な流れを説明するフローチャートである。図６は送信先指定処理を詳細に説明するフローチャートである。図７〜図１３は、操作パネル１４のディスプレイ１００の表示内容を例示する説明図である。図５および図６のフローチャートに沿って、適宜、図７〜図１３を参照しながら説明する。画像データの送信処理は、厳密には、ＣＰＵ１１が各モジュールを実行することにより行われるが、ここでは、説明を明瞭とするため各モジュールが処理を行うものとして説明する。
【００３４】
画像データ送信処理について説明する前に、ディスプレイ１００に表示される基本画面について説明する。図７に示すディスプレイ１００には、基本画面４００が表示されている。基本画面４００は、ファクシミリ装置１０の電源が投入された際もしくはクリアボタン１０３が押下された際に、表示制御モジュール１６によりディスプレイ１００に表示される画面である。基本画面４００には、ＦＡＸ宛先４０１、リタイヤルボタン４０２、短縮選択ボタン４０３、および、グループ選択ボタン４０４が表示される。ＦＡＸ宛先４０１には、キーボタン１０２を介して直接入力されたＦＡＸ番号が表示される。画像データ送信処理は、ディスプレイ１００に基本画面４００が表示されている状態から開始される。
【００３５】
送信先指定モジュール１８、展開モジュール１９、表示制御モジュール１６が、協働して送信先指定処理を行う（ステップＳ１０）。送信先指定処理について、図６を用いて詳細に説明する。送信先指定モジュール１８は、送信先となるＦＡＸ番号が直接入力されたかを判断する（ステップＳ２０）。ＦＡＸ番号が直接入力された場合（ステップＳ２０：ＹＥＳ）、送信先指定モジュール１８は、入力されたＦＡＸ番号を送信先宛先情報として指定し（ステップＳ２１）、送信先指定処理を終了する。
【００３６】
送信先となるＦＡＸ番号が直接入力されない場合（ステップＳ２０：ＮＯ）、送信先指定モジュール１８は、短縮選択ボタン４０３が押下されたか否かを判断する（ステップＳ２２）。短縮選択ボタン４０３が押下された場合（ステップＳ２２：ＹＥＳ）、送信先指定モジュール１８は、ディスプレイ１００に短縮番号選択画面４１０を表示する（ステップＳ２３）。
【００３７】
短縮番号選択画面４１０について、図８を用いて説明する。短縮番号選択画面４１０には、短縮宛先一覧４１１、選択済短縮宛先一覧４１２、１件追加ボタン４１３、１件解除ボタン４１４、決定ボタン４１５およびキャンセルボタン４１６が表示されている。短縮宛先一覧４１１には、短縮宛先情報テーブル２００に含まれる短縮番号と短縮宛先名が表示される。短縮番号は括弧でくくられている数字である。例えば、［０１１］は短縮番号「０１１」を示す。本実施例では、以降、「短縮宛先情報の表示」とは、短縮番号および短縮宛先名のみが表示され、ＦＡＸ番号は表示されないことを示す。
【００３８】
選択済短縮宛先一覧４１２は、選択された短縮宛先情報がリスト形式で表示される。
【００３９】
ユーザは、短縮宛先一覧４１１に含まれる短縮宛先情報から送信先とする短縮宛先情報を選択し、１件追加ボタン４１３を押下する。１件追加ボタン４１３が押下されると、そのときに選択されている短縮宛先一覧４１１内の短縮宛先情報が選択済短縮宛先一覧４１２に追加される。短縮宛先一覧４１１の短縮宛先情報のうちハッチングが付されている短縮宛先情報は、送信先として選択され選択済短縮宛先一覧４１２に追加されていることを示す。本実施例では、図８に示すように、短縮番号［０１３］の「大阪  三郎」と、短縮番号［０１５］の「広島  五郎」が送信先として選択されている。短縮宛先情報は５件以上選択可能である。
【００４０】
ユーザは、選択済短縮宛先一覧４１２に含まれる短縮宛先情報のうち、送信先としての選択を解除したい短縮宛先情報を選択し、１件解除ボタン４１４を押下する。１件解除ボタン４１４が押下されると、そのときに選択されている選択済短縮宛先一覧４１２内の短縮宛先情報が選択済短縮宛先一覧４１２から削除される。
【００４１】
キャンセルボタン４１６が押下されると、短縮宛先情報の選択をキャンセルし、基本画面４００に戻る。
【００４２】
決定ボタン４１５が押下されると、送信先指定モジュール１８は、選択済短縮宛先一覧４１２に含まれる短縮宛先情報を送信先として指定し、表示制御モジュール１６は、送信先指定モジュール１８により指定された送信先が反映された送信先宛先画面をディスプレイ１００に表示する。（ステップＳ２４）。
【００４３】
送信先宛先画面４２０について図９を用いて説明する。送信先宛先画面４２０には、送信先宛先一覧４２１、短縮選択ボタン４０３、グループ選択ボタン４０４、および、１件解除ボタン４０５が表示されている。送信先宛先一覧４２１には、送信先として指定された短縮宛先情報が表示されている。なお、送信先宛先一覧４２１の表示順はグループ宛先情報が短縮宛先情報より上位に表示される。また、送信先宛先一覧４２１にグループ宛先情報が複数含まれる場合にはグループ番号の昇順に表示され、送信先宛先一覧４２１に短縮宛先情報が複数含まれる場合には短縮番号の昇順に上位から表示される。短縮宛先情報は５件以上選択可能である。
【００４４】
送信先宛先一覧４２１に含まれる短縮宛先情報のうちいずれかの短縮宛先情報が選択されている状態で１件解除ボタン４０５が押下されると、選択されている短縮宛先情報は送信先宛先一覧４２１から削除される。短縮宛先情報は送信先宛先一覧４２１から削除されることにより、かかる短縮宛先情報の送信先の指定が解除される。
【００４５】
短縮宛先の指定（ステップＳ２４）の終了後、もしくは、短縮選択ボタン４０３が押下されない場合（ステップ２２：ＮＯ）、送信先指定モジュール１８は、グループ選択ボタン４０４が押下されたか否かを判断する（ステップＳ２５）。グループ選択ボタン４０４が押下された場合、送信先指定モジュール１８はディスプレイ１００にグループ宛先選択画面４３０を表示する（ステップＳ２６）。
【００４６】
グループ宛先選択画面４３０について、図１０を用いて説明する。グループ宛先選択画面４３０には、グループ宛先一覧４３１、選択済グループ宛先一覧４３２、１件追加ボタン４３３、１件解除ボタン４３４、決定ボタン４３５およびキャンセルボタン４３６が表示されている。グループ宛先一覧４３１には、グループ宛先情報テーブル３００に登録されているグループ番号とグループ名が表示される。グループ番号は括弧でくくられている数字である。例えば、［＊１１］はグループ番号「＊１１」を示す。以降、「グループ宛先情報の表示」とは、グループ番号およびグループ名のみが表示され、短縮番号は表示されないことを示す。
【００４７】
選択済グループ宛先一覧４３２には、選択されたグループ宛先情報がリスト形式で表示される。
【００４８】
ユーザは、グループ宛先一覧４３１に含まれるグループ宛先情報から送信先とするグループ宛先情報を選択し、１件追加ボタン４３３を押下する。１件追加ボタン４３３が押下されると、グループ宛先一覧４３１内の選択されているグループ宛先情報が選択済グループ宛先一覧４３２に追加される。図１０のグループ宛先一覧４３１の中のハッチングは、送信先として選択され選択済グループ宛先一覧４３２に追加されているグループ宛先情報を示す。グループ宛先情報は５件以上選択可能である。
【００４９】
ユーザは、送信先として選択された選択済グループ宛先一覧４３２に含まれるグループ宛先情報のうち、送信先としての選択を解除したいグループ宛先情報を選択し、１件解除ボタン４３４を押下する。１件解除ボタン４３４が押下されると、そのときに選択されている選択済グループ宛先一覧４３２内のグループ宛先情報が選択済グループ宛先一覧４３２から削除され、かかるグループ宛先情報の送信先としての選択が解除される。
【００５０】
キャンセルボタン４３６が押下されると、グループ宛先情報の選択をキャンセルし、直前の画面に戻る。直前の画面に戻るとは、すなわち、短縮宛先情報が指定されていない場合には基本画面４００に戻り、短縮宛先情報が指定されている場合には送信先宛先画面４２０に戻る。
【００５１】
決定ボタン４３５が押下されると、送信先指定モジュール１８は、選択済グループ宛先一覧４３２に追加されているグループ宛先情報を送信先として指定する（ステップＳ２７）。表示制御モジュール１６は、送信先指定モジュール１８により指定されたグループ宛先情報を送信先宛先画面４２０の送信先宛先一覧４２１に反映するとともに、展開ボタンを送信先宛先画面４２０に表示する（ステップＳ２８）
【００５２】
グループ宛先情報の指定が反映され、ディスプレイ１００の表示がグループ宛先選択画面４３０から送信先宛先画面４２０に戻った際の送信先宛先画面４２０について、図１１を用いて説明する。図１１に示すように、ディスプレイ１００には送信先宛先画面４２０が表示されている。送信先宛先画面４２０の内容は、図９において説明した内容とほぼ同じである。ただし、送信先宛先一覧４２１には送信先として指定されたグループ宛先情報が含まれており、送信先宛先画面４２０には展開ボタン４２５が表示されている。
【００５３】
送信先宛先一覧４２１に含まれる宛先情報のうちいずれかの宛先情報が選択されている状態で１件解除ボタン４０５が押下されると、選択されている宛先情報は送信先宛先一覧４２１から削除され、かかる宛先情報の送信先としての指定は解除される。
【００５４】
送信先宛先一覧４２１に含まれる宛先情報のうち、ハッチングが付されている宛先は、ユーザにより選択されていることを示す。本実施例では、図１１に示すようにグループ番号［＊１１］、グループ名「開発グループ」のグループ宛先情報が選択されている。
【００５５】
展開モジュール１９は、展開ボタン４２５が押下されたか否かを判断する（ステップＳ２９）。展開ボタン４２５が押下された場合（ステップＳ２９：ＹＥＳ）、展開モジュール１９は、送信先宛先一覧４２１において選択されているグループ宛先情報の表示を、かかるグループ宛先情報に含まれる短縮宛先情報に切り換える（ステップＳ３０）。具体的には、展開モジュール１９は、グループ宛先情報テーブル３００を参照して、選択されているグループ宛先情報に含まれる短縮番号を取得し、取得された短縮番号を有する短縮宛先名を短縮宛先情報テーブル２００から取得する。展開モジュール１９は、送信先宛先一覧４２１において選択されているグループ宛先情報の表示を、取得された短縮番号と短縮宛先名に切り換える。
【００５６】
展開ボタン４２５が押下された際の送信先宛先画面４２０の画面遷移について図１１、図１２を用いて説明する。展開ボタン４２５が押下されると、送信先宛先画面４２０の表示内容は、図１１の送信先宛先一覧４２１に表示されている［＊１１］の「開発グループ」から、図１２の送信先宛先一覧４２１に表示されているように、開発グループに含まれる短縮宛先情報である［１１１］の「開発第１グループ」、［１１２］の「開発第２グループ」、および、［１１３］の「開発第３グループ」に切り換えられる。開発グループに含まれる短縮宛先情報の短縮番号は個別に指定された短縮宛先情報の短縮番号（［０１３］、［０１５］）よりも大きいため、これらの短縮宛先情報よりも下位に表示される。
【００５７】
展開ボタン４２５が押下され、送信先宛先一覧４２１に含まれるグループ宛先情報の表示が、かかるグループ宛先情報に含まれる短縮宛先情報の表示に切り換えられた場合、展開ボタン４２５は使用不可となる。本実施例では、図１２に示すように、使用不可となった展開ボタン４２５を破線で示す。
【００５８】
送信先指定モジュール１８は、１件解除ボタン４０５が押下されたかを判断する（ステップＳ３１）。１件解除ボタン４０５が押下された場合、送信先指定モジュール１８は、そのときに選択されている短縮宛先情報の送信先としての指定を解除し送信先宛先一覧４２１から削除する（ステップＳ３２）。
【００５９】
図１２に示すように、短縮番号［１１２］の「開発第２グループ」が選択されている。この状態で１件解除ボタン４０５が押下されると、図１３に示すように、短縮番号［１１２］の「開発第２グループ」が送信先宛先一覧４２１から削除され、残りの短縮宛先情報が表示される。
【００６０】
画像取得モジュール１７は、スタートボタン１０４が押下されたか否かを判断する（ステップＳ１１）。スタートボタン１０４が押下されると（ステップＳ１１：ＹＥＳ）、画像取得モジュール１７は、ファクシミリ装置１０にセットされた原稿を読み取り、送信対象画像データを生成する（ステップＳ１２）。送信モジュール２１は、送信先宛先一覧４２１に含まれる宛先情報のファックス番号に対して送信対象画像データを送信する（ステップＳ１３）。
【００６１】
以上説明した第１実施例のファクシミリ装置１０によれば、送信先として指定された宛先情報の中にグループ宛先情報が含まれる場合に、必要に応じてグループ宛先情報に含まれる短縮宛先情報を削除することにより、グループ宛先情報に含まれる短縮宛先情報を送信先から除外できる。従って、ユーザは、所望する送信先の多くがグループ宛先に含まれる場合、送信先とする短縮宛先情報を１件ずつ指定することなく簡易に送信先を指定できる。
【００６２】
また、本実施例によれば、展開ボタン４２５を準備することにより、グループ宛先情報の表示をグループ宛先情報に含まれる短縮宛先情報に切り換えることができる。従って、ユーザの利便性を向上できる。
【００６３】
Ｂ．第２実施例：
上述した第１実施例では、短縮宛先情報、グループ宛先格納部を選択して送信先を指定した。第２実施例では、直前に送信先とされた宛先情報が含まれる送信履歴を呼び出して、送信履歴に含まれる宛先情報を利用して送信先を指定する。第２実施例におけるシステム構成は第１実施例と同様である。
【００６４】
Ｂ１．送信済宛先：
図１４は本実施例における送信履歴５００を例示する説明図である。送信履歴５００は、送信履歴格納部２４に格納されている。送信履歴５００は、図１４に示すように、送信先番号、宛先、および、送信日時を有する。「送信先番号」には、送信先とされた宛先のグループ番号および短縮番号が記録される。「宛先」には、送信先番号に記録されているグループ番号もしくは短縮番号に対応する宛先の名称が記録される。「送信日時」には、最初の画像データが送信された日時が記録される。すなわち、送信履歴５００は、ファクシミリ装置１０が「２００５／０８／１０  １３：３２：４４」に、グループ番号［＊１３］の「本社グループ」、短縮番号［０１２］の「東京  次郎」、および、短縮番号［０１４］の「福岡  四郎」に対して画像データを送信したことを表している。
【００６５】
Ｂ２．送信先指定処理：
図１５を用いて、本実施例における送信先の指定処理について説明する。図１５は、本実施例における送信先指定処理を説明するフローチャートである。第１実施例において説明された図５のステップＳ１０で実行される処理である。
【００６６】
送信先指定モジュール１８は、基本画面４００に表示されているリタイヤルボタン４０２が押下されたか否かを判断する（ステップＳ５０）。リダイヤルボタンが押下されない場合、図６のステップＳ２０の処理へ移行する。リタイヤルボタン４０２が押下された場合（ステップＳ５０：ＹＥＳ）、送信履歴格納部２４に格納されている送信履歴５００を呼び出す（ステップＳ５１）。表示制御モジュール１６は、送信先指定モジュール１８により呼び出された送信履歴５００に含まれる宛先情報を送信先宛先一覧４２１に表示する（ステップＳ５２）。
【００６７】
表示制御モジュール１６は、送信履歴５００にグループ宛先情報が含まれるか否かを判断する（ステップＳ５３）。グループ宛先情報が送信履歴５００に含まれる場合（ステップＳ５３：ＹＥＳ）、表示制御モジュール１６は、展開ボタン４２５を送信先宛先画面４２０に表示する（ステップＳ５４）。グループ宛先情報が送信履歴５００に含まれない場合（ステップＳ５３：ＮＯ）、ステップＳ５７の処理へ移行する。
【００６８】
展開モジュール１９は、展開ボタン４２５が押下されたか否かを判断する（ステップＳ５５）。展開ボタン４２５が押下された場合（ステップＳ５５：ＹＥＳ）、展開モジュール１９は、送信先宛先一覧４２１において選択されているグループ宛先情報の表示を、かかるグループ宛先に含まれる短縮宛先情報に切り換える（ステップＳ５６）。
【００６９】
送信先指定モジュール１８は、１件解除ボタン４０５が押下されたかを判断する（ステップＳ５７）。１件解除ボタン４０５が押下された場合、送信先指定モジュール１８は、そのときに選択されている短縮宛先情報の送信先としての指定を解除し送信先宛先一覧４２１から削除する（ステップＳ５８）。
【００７０】
以上説明した第２実施例のファクシミリ装置１０によれば、送信履歴に含まれるグループ宛先情報を編集して送信先とし、画像データを送信できる。従って、ユーザはファクシミリ装置１０を利用することにより、送信履歴に含まれるグループ宛先情報を編集して送信先を指定できる。従って、ユーザ利便性を向上できる。
【００７１】
Ｃ．変形例：
（１）上述の第１実施例では、送信先宛先一覧４２１には、短縮番号の昇順に上から短縮宛先情報が表示されているがこれに限られない。例えば、送信先宛先一覧４２１には短縮番号が選択された順に上位から短縮宛先情報が表示され、図９に示すように、送信先宛先画面４２０に並び替えボタン４０６を準備してもよい。並び替えボタン４０６が押下されると表示制御モジュール１６が短縮番号の降順に並び替え、またもう１回並び替えボタン４０６が押下されると表示制御モジュール１６が短縮番号の昇順に並び替えることとすれば、容易に短縮番号を並び替えることができ、ユーザの宛先情報の編集の負担を軽減できる。
【００７２】
（２）上述の第２実施例では、直前に画像データが送信された送信履歴のみが送信履歴格納部２４に格納されているが、例えば、過去３ヶ月間の送信履歴もしくは過去１０回分の送信履歴が送信履歴格納部２４に格納されていてもよい。
【００７３】
以上、本発明の種々の実施例について説明したが、本発明はこれらの実施例に限定されず、その趣旨を逸脱しない範囲で種々の構成をとることができることは言うまでもない。
【図面の簡単な説明】
【００７４】
【図１】第１実施例におけるファクシミリ装置の機能ブロックを例示する説明図。
【図２】第１実施例における短縮宛先情報テーブルの内容を例示する説明図。
【図３】第１実施例におけるグループ宛先情報テーブルの内容を例示する説明図。
【図４】第１実施例における操作パネルを例示する説明図である。
【図５】第１実施例における画像データ送信処理を説明するフローチャート。
【図６】第１実施例における送信先指定処理を説明するフローチャート。
【図７】第１実施例におけるディスプレイに表示される画面例。
【図８】第１実施例におけるディスプレイに表示される画面例。
【図９】第１実施例におけるディスプレイに表示される画面例。
【図１０】第１実施例におけるディスプレイに表示される画面例。
【図１１】第１実施例におけるディスプレイに表示される画面例。
【図１２】第１実施例におけるディスプレイに表示される画面例。
【図１３】第１実施例におけるディスプレイに表示される画面例。
【図１４】第２実施例における送信履歴を例示する説明図である。
【図１５】第２実施例における送信先指定処理を説明するフローチャート。
【符号の説明】
【００７５】
１０...ファクシミリ装置
１１...ＣＰＵ
１２...ＲＡＭ
１３...通信部
１４...操作パネル
１５...メモリ
１６...表示制御モジュール
１７...画像取得モジュール
１８...送信先指定モジュール
１９...展開モジュール
２０...編集モジュール
２１...送信モジュール
２２...短縮宛先格納部
２３...グループ宛先格納部
２４...送信履歴格納部
１００...ディスプレイ
１０１...受付部
１０２...キーボタン
１０３...クリアボタン
１０４...スタートボタン
２００...短縮宛先情報テーブル
３００...グループ宛先情報テーブル
４００...基本画面
４０１...ＦＡＸ宛先
４０２...リタイヤルボタン
４０３...短縮選択ボタン
４０４...グループ選択ボタン
４０５...１件解除ボタン
４０６...並び替えボタン
４１０...短縮番号選択画面
４１１...短縮宛先一覧
４１２...選択済短縮宛先一覧
４１３...１件追加ボタン
４１４...１件解除ボタン
４１５...決定ボタン
４１６...キャンセルボタン
４２０...送信先宛先画面
４２１...送信先宛先一覧
４２５...展開ボタン
４３０...グループ宛先選択画面
４３１...グループ宛先一覧
４３２...選択済グループ宛先一覧
４３３...１件追加ボタン
４３４...１件解除ボタン
４３５...決定ボタン
４３６...キャンセルボタン
５００...送信履歴
【図１】
2007096659.tif 000003
【図２】
2007096659.tif 000004
【図３】
2007096659.tif 000005
【図４】
2007096659.tif 000006
【図５】
2007096659.tif 000007
【図６】
2007096659.tif 000008
【図７】
2007096659.tif 000009
【図８】
2007096659.tif 000010
【図９】
2007096659.tif 000011
【図１０】
2007096659.tif 000012
【図１１】
2007096659.tif 000013
【図１２】
2007096659.tif 000014
【図１３】
2007096659.tif 000015
【図１４】
2007096659.tif 000016
【図１５】
2007096659.tif 000017